(57)【要約】  情報表示制御装置１０は、第１および第２画像表示装置２１ａ，２１ｂの２つを制御可能である。情報表示制御装置１０において、通信部１２は、通信端末３０との通信を行う。画像処理部１３は、通信端末３０で動作しているアプリケーションの画像および当該通信端末３０におけるイベントの発生情報を通信部１２を介して取得し、当該アプリケーションの画像および当該イベントの発生を示すイベント画像を第１および第２画像表示装置２１ａ，２１ｂに表示できる。通信部１２は、アプリケーションの画像およびイベント画像の表示を、第１および第２画像表示装置２１ａ，２１ｂのどちらで行うかを、ユーザによる設定に従って選択する。
2014112094.tif 000002
【特許請求の範囲】
【請求項１】
複数の表示装置を制御可能な情報表示制御装置であって、
通信端末との通信を行う通信部と、
前記通信端末で動作しているアプリケーションの画像および当該通信端末におけるイベントの発生情報を前記通信部を介して取得し、当該アプリケーションの画像および当該イベントの発生を示すイベント画像を前記複数の表示装置に表示可能な画像処理部と、
前記アプリケーションの画像および前記イベント画像の表示を、前記複数の表示装置のどれで行うかを、ユーザによる設定に従って選択する制御部とを備える
ことを特徴とする情報表示制御装置。
【請求項２】
前記制御部はさらに、予め定められた条件に従って、前記アプリケーションの画像または前記イベント画像の表示制限を行う
請求項１記載の情報表示制御装置。
【請求項３】
前記制御部は、前記通信端末が特定の通信端末である場合にのみ前記イベント画像の表示を許可し、
前記特定の通信端末は、どの表示装置が選択されているかによって異なる
請求項２記載の情報表示制御装置。
【請求項４】
前記制御部はさらに、予め定められた条件に従って、前記アプリケーションの画像に対する操作制限を行う
請求項２記載の情報表示制御装置。
【請求項５】
前記制御部は、前記アプリケーションの属性に応じて、前記アプリケーションの画像の表示制限および操作制限の制御方法を変更する
請求項４記載の情報表示制御装置。
【請求項６】
前記制御部は、選択されている表示装置の属性に応じて、前記アプリケーションの画像の表示制限および操作制限の制御方法を変更する
請求項４記載の情報表示制御装置。
【請求項７】
前記複数の表示装置それぞれの属性を記憶する記憶部を備え、
前記複数の表示装置それぞれの属性は、ユーザが設定可能である
請求項６記載の情報表示制御装置。
【請求項８】
当該情報表示制御装置は、車両に搭載可能であり、
前記複数の表示装置の属性は、前記車両内の設置場所の情報を含んでいる
請求項６記載の情報表示制御装置。
【請求項９】
前記制御部は、前記車両の走行時と停止時とで、前記アプリケーションの画像の表示制限および操作制限の制御方法を変更する
請求項８記載の情報表示制御装置。
【請求項１０】
通信端末との通信を行う通信部と、
前記通信端末で動作しているアプリケーションの画像および当該通信端末におけるイベントの発生情報を前記通信部を介して取得し、当該アプリケーションの画像および当該イベントの発生を示すイベント画像を表示装置に表示可能な画像処理部と、
前記通信部がどの通信端末と通信するかを、ユーザによる設定に従って選択する制御部と
を備える情報表示制御装置。
【請求項１１】
前記制御部はさらに、予め定められた条件に従って、前記アプリケーションの画像または前記イベント画像の表示制限を行う
請求項１０記載の情報表示制御装置。
【請求項１２】
前記制御部は、前記通信端末が特定の通信端末である場合にのみ前記イベント画像の表示を許可する
請求項１１記載の情報表示制御装置。
【請求項１３】
前記制御部は、前記通信端末が当該情報表示制御装置と同じ所有者に属するものと判断される場合に前記イベント画像の表示を許可する
請求項１１記載の情報表示制御装置。
【請求項１４】
前記制御部はさらに、予め定められた条件に従って、前記アプリケーションの画像に対する操作制限を行う
請求項１１記載の情報表示制御装置。
【請求項１５】
前記制御部は、前記アプリケーションの属性に応じて、前記アプリケーションの画像の表示制限および操作制限の制御方法を変更する
請求項１４記載の情報表示制御装置。
【請求項１６】
前記制御部は、当該情報表示制御装置の属性に応じて、前記アプリケーションの画像の表示制限および操作制限の制御方法を変更する
請求項１４記載の情報表示制御装置。
【請求項１７】
前記属性は、ユーザが設定可能である
請求項１６記載の情報表示制御装置。
【請求項１８】
当該情報表示制御装置は、車両に搭載可能であり、
前記属性は、前記車両内の設置場所の情報を含んでいる
請求項１６記載の情報表示制御装置。
【請求項１９】
前記制御部は、前記車両の走行時と停止時とで、前記アプリケーションの画像の表示制限および操作制限の制御方法を変更する
請求項１８記載の情報表示制御装置。
【請求項２０】
当該情報表示制御装置は、車両に搭載可能であり、当該車両内の設置場所が登録されており、
前記設置場所が運転席である場合、前記通信端末の画面を省電力モードにする
請求項１０記載の情報表示制御装置。
【請求項２１】
情報表示制御装置とのリンクが可能な通信端末であって、
当該通信端末で動作しているアプリケーションの画像および当該通信端末におけるイベントの発生情報を、前記画像表示制御装置へ送信する通信部と、
どの情報表示制御装置とリンクするかを、ユーザによる設定に従って選択する制御部と
を備える通信端末。
【請求項２２】
前記制御部はさらに、前記情報表示制御装置に対し、予め定められた条件に従って、前記アプリケーションの画像または前記イベントの発生を示すイベント画像の表示を制限させる
請求項２１記載の通信端末。
【請求項２３】
前記制御部は、当該通信端末が登録されている情報表示制御装置に対し、前記イベント画像の表示を許可する
請求項２２記載の通信端末。
【請求項２４】
前記制御部は、当該通信端末と同じ所有者に属すると判断される情報表示制御装置に対し、前記イベント画像の表示を許可する
請求項２２記載の通信端末。
【請求項２５】
前記制御部はさらに、前記情報表示制御装置に対し、予め定められた条件に従って、前記アプリケーションの画像に対する操作制限を行う
請求項２２記載の通信端末。
【請求項２６】
前記制御部は、前記アプリケーションの属性に応じて、前記アプリケーションの画像の表示制限および操作制限の制御方法を変更する
請求項２５記載の通信端末。
【請求項２７】
前記制御部は、前記情報表示制御装置の属性に応じて、前記アプリケーションの画像の表示制限および操作制限の制御方法を変更する
請求項２５記載の通信端末。
【請求項２８】
前記情報表示制御装置の属性は、車両内の設置場所の情報を含んでいる
請求項２７記載の通信端末。
【請求項２９】
前記制御部は、前記車両の走行時と停止時とで、前記アプリケーションの画像の表示制限および操作制限の制御方法を変更する
請求項２８記載の通信端末。
【請求項３０】
前記情報表示制御装置が車両の運転席用のものであると判断される場合、画面を省電力モードにする
請求項２１記載の通信端末。
【発明の詳細な説明】
【技術分野】
【０００１】
本発明は、情報表示装置の動作を制御する情報表示制御装置に関し、特に、外部の通信端末との連携（リンク）機能を有する情報表示制御装置に関する。
【背景技術】
【０００２】
近年、スマートフォンや携帯電話などの通信端末との通信機能を有する情報表示装置が実用化されている。そのような情報表示装置としては、通信端末で動作しているアプリケーションプログラム（以下、単に「アプリケーション」という）が出力する画像や音声を取得し、自己の表示部やスピーカから出力したり、画像や音声に基づくユーザの操作を受け付けて通信端末を制御したりするなど、通信端末との連携動作を可能とするリンク機能（例えばMirrorLink（登録商標）機能）を有するものがある。【０００３】
一般に、通信端末において、アプリケーションの実行中に電話着信などのイベントが発生すると、当該アプリケーションの実行が中断される。このとき通信端末の画面表示は、アプリケーションが出力する画像（アプリケーション画像）から、イベントの発生を通知する画像に切り替わるのが通常である。そのため、情報表示装置が通信端末とリンクし、通信端末から取得したアプリケーション画像を表示していても、通信端末でイベントが発生すると、通信端末からのアプリケーション画像の送信が中断される。その場合、情報表示装置の表示も、通信端末でのイベントの発生を通知する画像に切り替えられる。【０００４】
例えば、車載の情報表示装置が、通信端末で動作しているナビゲーション用アプリケーションが出力した地図を表示しているときに、通信端末に電話着信があると、情報表示装置の表示が地図から電話の着信画面に切り替わる。そうなると、運転者は通話が終了するまで地図を見ることができず、利便性が低下する。【０００５】
例えば下記の特許文献１では、車載の情報表示装置が通信端末のナビゲーション用アプリケーションの地図を表示する際にその地図を随時記憶しておき、通信端末にイベントが発生したときに、情報表示装置がその直前に記憶した地図を表示し続ける技術が提案されている。この技術によれば、通信端末に電話着信があっても、情報表示装置には地図が表示されたままになるため、運転者は継続して地図を見ることができる。
【先行技術文献】
【特許文献】
【０００６】
【特許文献１】特開２０１１−２５４２９９号公報
【発明の概要】
【発明が解決しようとする課題】
【０００７】
特許文献１のような情報表示システムは、１つの表示部（画面）を有する１台の情報表示装置に１台の通信端末がリンクすることが前提となっており、例えば１台の情報表示装置に複数の表示部が設けられた場合や、１台の通信端末を複数の情報表示装置にリンクさせる場合については考慮されていない。そのような場合を考慮すると、情報表示装置に望まれる表示の内容はそれぞれの表示部ごとに異なると考えられる。【０００８】
例えば、運転席用の表示部と助手席用の表示部を有する車載の情報表示装置に、運転者の通信端末をリンクさせた状態を考える。この状態で、運転席用の表示部を使って通信端末の画面を表示させるときは、運転者は、自分の通信端末で発生したイベントを通知する画像（イベント画像）を表示させることを望む。しかし、助手席用の表示部を使って通信端末の画面を表示させるときは、運転者は、自分の通信端末のイベント画像を表示させることを望まない場合もある。特に、イベント画像に個人情報（例えば電話の着信画面における発信者の氏名や電話番号など）が含まれている場合には、プライバシー保護の観点から、他人に通信端末のイベント画像が見られることは望ましくない。【０００９】
本発明は以上のような課題を解決するためになされたものであり、複数の表示部を有する情報表示システムの利便性の向上を図ることを目的とする。
【課題を解決するための手段】
【００１０】
本発明に係る情報表示制御装置は、複数の表示装置を制御可能な情報表示制御装置であって、通信端末との通信を行う通信部と、通信端末で動作しているアプリケーションの画像および当該通信端末におけるイベントの発生情報を通信部を介して取得し、当該アプリケーションの画像および当該イベントの発生を示すイベント画像を複数の表示装置に表示可能な画像処理部と、アプリケーションの画像およびイベント画像の表示を、複数の表示装置のどれで行うかを、ユーザによる設定に従って選択する制御部とを備えるものである。
【発明の効果】
【００１１】
本発明によれば、通信端末のアプリケーションの画像およびイベント画像を複数の表示装置のうちのどれに表示させるかを、用途に応じてユーザが選択できる。例えば、車載の情報表示制御装置において、運転者の通信端末のイベント画像は運転席用の表示装置に表示させ、助手席にいる同乗者のイベント画像は助手席用の表示装置に表示させるなど、通信端末の所有者のプライバシー保護に配慮した表示が可能になり、利便性が向上する。【００１２】
この発明の目的、特徴、態様、および利点は、以下の詳細な説明と添付図面とによって、より明白となる。
【図面の簡単な説明】
【００１３】
【図１】実施の形態１に係る情報表示システムの構成図である。
【図２】実施の形態１における制限情報テーブルを示す図である。
【図３】実施の形態１に係る情報表示制御装置と通信端末との連携動作を説明するための図である。
【図４】実施の形態１に係る情報表示制御装置と通信端末との連携動作を説明するための図である。
【図５】通信端末でイベントが発生したときの、実施の形態１に係る情報表示制御装置の表示制御動作を示すフローチャートである。
【図６】イベント画像の表示が許可されている通信端末でイベントが発生したときの、実施の形態１に係る情報表示制御装置の動作を説明するための図である。
【図７】イベント画像の表示が許可されていない通信端末でイベントが発生したときの、実施の形態１に係る情報表示制御装置の動作を説明するための図である。
【図８】実施の形態１に係る情報表示制御装置と通信端末との連携動作を説明するための図である。
【図９】イベント画像の表示が許可されている通信端末でイベントが発生したときの、実施の形態１に係る情報表示制御装置の動作を説明するための図である。
【図１０】イベント画像の表示が許可されていない通信端末でイベントが発生したときの、実施の形態１に係る情報表示制御装置の動作を説明するための図である。
【図１１】実施の形態２における制限情報テーブルの例を示す図である。
【図１２】アプリケーションの制限レベルの例を示す図である。
【図１３】アプリケーションの制限レベルと通信端末のアプリケーション画像の表示制限および操作制限との関係の例を示す図である。
【図１４】実施の形態２に係る情報表示制御装置における、通信端末のアプリケーション画像の表示制限および操作制限の動作を示すフローチャートである。
【図１５】実施の形態３に係る情報表示システムの構成図である。
【図１６】実施の形態３における制限情報テーブルを示す図である。
【図１７】実施の形態３に係る情報表示制御装置における、通信端末のイベント画像の表示制限の動作を示すフローチャートである。
【図１８】実施の形態３に係る情報表示制御装置における、通信端末のアプリケーション画像の表示制限および操作制限の動作を示すフローチャートである。
【図１９】実施の形態４における制限情報テーブルを示す図である。
【図２０】通信端末でイベントが発生したときの、実施の形態４に係る情報表示制御装置の表示制御動作を示すフローチャートである。
【図２１】実施の形態５に係る情報表示制御装置の動作を示すフローチャートである。
【発明を実施するための形態】
【００１４】
＜実施の形態１＞
図１は、本発明の実施の形態１に係る情報表示システムの構成図である。当該情報表示システムは、情報表示制御装置１０と、それに接続される第１画像表示装置２１ａ、第２画像表示装置２１ｂ、音声出力装置２２、第１操作入力装置２３ａおよび第２操作入力装置２３ｂと、情報表示制御装置１０と連携（リンク）可能な複数の通信端末３０とを含んでいる。実施の形態１では、情報表示制御装置１０に、画像表示装置および操作入力装置は２つずつ接続した例を示すが、それらは３つ以上であってもよい。
【００１５】
情報表示制御装置１０は、第１画像表示装置２１ａおよび第２画像表示装置２１ｂに表示させる画像、並びに、音声出力装置２２に出力させる音声を制御する。第１操作入力装置２３ａおよび第２操作入力装置２３ｂは、ユーザが情報表示制御装置１０に対する操作、もしくは情報表示制御装置１０を介しての通信端末３０のリモート操作を行うためのユーザインターフェイスである。第１操作入力装置２３ａは、第１画像表示装置２１ａに対応付けされており、第２操作入力装置２３ｂは、第２画像表示装置２１ｂに対応付けされている。つまり、第１操作入力装置２３ａは、第１画像表示装置２１ａの表示に基づく操作に用いられ、第２操作入力装置２３ｂは、第２画像表示装置２１ｂの表示に基づく操作に用いられる。
【００１６】
情報表示制御装置１０、第１画像表示装置２１ａ、第２画像表示装置２１ｂ、音声出力装置２２、第１操作入力装置２３ａおよび第２操作入力装置２３ｂはいずれも車両に搭載可能である。情報表示制御装置１０が組み込まれる具体的な製品としては、例えば、カーナビゲーション装置、デジタルテレビ、テレビゲーム機などが考えられる。
【００１７】
第１画像表示装置２１ａ、第２画像表示装置２１ｂ、音声出力装置２２、第１操作入力装置２３ａおよび第２操作入力装置２３ｂは、情報表示制御装置１０に内蔵されていてもよいし、外付けのデバイスであってもよい。第１画像表示装置２１ａ、第２画像表示装置２１ｂ、音声出力装置２２、第１操作入力装置２３ａおよび第２操作入力装置２３ｂが外付けのデバイスの場合、それらと情報表示制御装置１０との間の接続（通信）は、それぞれ有線方式でも無線方式でもよい。
【００１８】
第１および第２画像表示装置２１ａ，２１ｂとしては、液晶表示装置が代表的であるが、画像表示機能を有する任意の装置（例えば、テレビジョン表示装置、スマートフォン、タブレット端末、車両のインストルメントパネルの表示部、画面付きのゲームコントローラなど）を利用してもよい。音声出力装置２２は、スピーカやヘッドフォン等が一般的であるが、これも音声出力機能を有する任意の装置を利用してもよい。
【００１９】
第１および第２操作入力装置２３ａ，２３ｂは、基本的に情報表示制御装置１０の操作に用いられるが、情報表示制御装置１０が通信端末３０とリンクしている状態では、ユーザは、それらを介して通信端末３０をリモート操作することもできる。第１および第２操作入力装置２３ａ，２３ｂは、操作ボタン、操作スティック、キーボード、トラックパッド等のハードウェアでもよいし、画面に表示されるアイコンを用いたソフトウェアキーでもよい。第１操作入力装置２３ａとしてのソフトウェアキーを第１画像表示装置２１ａに表示させる場合、第１画像表示装置２１ａと第１操作入力装置２３ａは、両者の機能を兼ね備えた１つのタッチパネルとしてもよい。同様に、第２画像表示装置２１ｂと第２操作入力装置２３ｂも、１つのタッチパネルとしてもよい。
【００２０】
情報表示制御装置１０は、制御部１１、通信部１２、画像処理部１３、画像記憶部１４、音声処理部１５、通信端末情報解析部１６、通信端末制御部１７および記憶部１８を備えている。情報表示制御装置１０はコンピュータを用いて構成されており、情報表示制御装置１０の各要素は、コンピュータが、記憶部１８に記憶されている制御プログラム１８１に従って動作することにより実現される。なお、記憶部１８は、ハードディスク、リムーバブルディスク、メモリなどのハードウェアによって構成される。
【００２１】
制御部１１は、制御プログラム１８１に従って情報表示制御装置１０の全体を制御する機能を有する。また、制御部１１は、記憶部１８に記憶されている情報表示制御装置１０用のアプリケーションプログラム１８２を実行することもできる。
【００２２】
通信部１２は、情報表示制御装置１０が通信端末３０とリンクするのに必要な通信を行う機能を有し、通信端末３０との間で、画像データ、音声データ、制御命令など各種の情報をやりとりする。通信部１２と通信端末３０との間の通信方式は、例えばＵＳＢ（Universal Serial Bus）ケーブルやＬＡＮ（Local Area Network）ケーブルなどを用いる有線通信でもよいし、無線ＬＡＮやBluetooth（登録商標）などの無線通信でもよい。
【００２３】
画像処理部１３は、第１および第２画像表示装置２１ａ，２１ｂに画像を表示させるための画像信号を生成する機能を有している。特に、情報表示制御装置１０が通信端末３０とリンクした状態では、画像処理部１３は、通信端末３０で動作しているアプリケーションが出力する画像（アプリケーション画像）を、通信部１２を介して取得し、第１画像表示装置２１ａまたは第２画像表示装置２１ｂに表示させることができる。また、リンク中の通信端末３０でイベントが発生したときには、画像処理部１３は、通信部１２を介して通信端末３０からイベントの発生を示す画像（イベント画像）を取得し、それを第１画像表示装置２１ａまたは第２画像表示装置２１ｂに表示させることができる。なお、イベント画像としては、イベント発生の通知のみを目的とする画像に限らず、イベントの操作画面（ユーザインターフェイス）の画像であってもよい。
【００２４】
画像処理部１３が通信端末３０のアプリケーションの画像およびイベント画像を第１および第２画像表示装置２１ａ，２１ｂのどちらに表示させるか（つまり、第１および第２画像表示装置２１ａ，２１ｂのどちらを用いてリンクのための接続を確立させるか）は、制御部１１が、ユーザによる設定に従って選択する。
【００２５】
画像記憶部１４は、情報表示制御装置１０が通信端末３０とリンクしている間、通信端末３０から取得したアプリケーション画像（スクリーンショット）を随時記憶する機能を有している。
【００２６】
画像処理部１３は、通信部１２を介して通信端末３０から取得したアプリケーション画像を第１画像表示装置２１ａまたは第２画像表示装置２１ｂに表示させているときに、通信端末３０で所定のイベントが発生すると、通信部１２を介して通信端末３０からイベント画像を取得し、その表示をアプリケーション画像からイベント画像に切り替える。
【００２７】
ただし、本実施の形態では、所定の条件により、イベント画像の表示が制限される場合がある。このとき、画像処理部１３は、第１画像表示装置２１ａまたは第２画像表示装置２１ｂにおけるアプリケーション画像の表示を継続するが、イベント発生中は通信端末３０からのアプリケーション画像の送信が中断され、通信端末３０からアプリケーション画像を取得できなくなる。その場合、画像処理部１３は、通信端末３０からのアプリケーション画像の代わりに、画像記憶部１４に記憶されているイベント発生直前のアプリケーション画像（記憶アプリケーション画像）を表示させる。
【００２８】
音声処理部１５は、音声出力装置２２に音声を出力させるための音声信号を生成する機能を有している。特に、情報表示制御装置１０が通信端末３０とリンクした状態では、音声処理部１５は、通信端末３０で動作しているアプリケーションが出力する音声を、通信部１２を介して取得し、音声出力装置２２から出力させることができる。さらに、通信端末３０で所定のイベントが発生した場合、音声処理部１５は、そのイベントの発生をユーザに通知する音声を音声出力装置２２から出力させることもできる。
【００２９】
通信端末情報解析部１６は、通信部１２を介して通信端末３０から取得した情報（データ）に基づき、通信端末３０の識別や状態判断を行う。通信端末情報解析部１６が通信端末３０から取得する情報としては、例えば、通信端末３０で実行中のアプリケーションの属性情報（アプリケーションの種別など）や、通信端末３０の属性情報（機種名、機能、電話番号、所有者名など）、各イベント（電話着信、メール着信、電池切れ、通信不可など）の発生情報等が挙げられる。なお、イベントの発生情報は画像処理部１３へも送られ、それにより、画像処理部１３はイベントの発生状況に応じた処理を行うことができる。
【００３０】
通信端末制御部１７は、通信部１２を介して通信端末３０へ各種の制御命令やデータを送信することにより、通信端末３０を制御する機能を有している。情報表示制御装置１０が通信端末３０とリンクした状態では、ユーザは、第１操作入力装置２３ａを用いて、第１画像表示装置２１ａに表示された通信端末３０の操作画面の画像に基づく操作を行うことができ、第２操作入力装置２３ｂを用いて、第２画像表示装置２１ｂに表示された通信端末３０の操作画面の画像に基づく操作を行うことができる。このユーザの操作内容は、通信端末制御部１７が通信端末３０に伝達し、通信端末３０がその操作内容に応じた動作を行う。その結果、第１操作入力装置２３ａまたは第２操作入力装置２３ｂを用いた通信端末３０のリモート操作が実現される。
【００３１】
通信端末３０は、スマートフォンや携帯電話などであり、通信網４１（通信端末３０が在圏するネットワーク）を介した遠端側通信装置４２との通信機能の他、情報表示制御装置１０とリンクするための通信機能を有している。また、通信端末３０は、通信端末３０用のアプリケーションを実行することによって、電話機能や、電子メール（Ｅメール）の送受信機能、インターネットの閲覧機能（ブラウザ機能）、ＧＰＳ（Global Positioning System）４３を利用して経路案内を行うナビゲーション機能などの様々な機能を発揮することができる。
【００３２】
通信端末３０の構成は、例えば一般的なスマートフォンと同様でよいため詳細な説明は省略するが、図１では、本発明と特に関係する表示部３１、操作部３２および制御部３３を図示している。
【００３３】
表示部３１は、通信端末３０で実行中のアプリケーションの画像を表示したり、イベント発生時には当該イベントの通知画面や操作画面の画像を表示したりする。操作部３２は、通信端末３０のユーザインターフェイスであり、ユーザは、操作部３２を用いてアプリケーションやイベントに対する操作を行うことができる。制御部３３は、通信端末３０用の制御プログラムを実行することで、通信端末３０の基本的な機能（通信機能や通話機能など）の制御を行うと共に、各種のアプリケーションを実行することにより、上記した様々な機能を通信端末３０に発揮させることができる。
【００３４】
実施の形態１の情報表示制御装置１０は、ある特定の通信端末３０でイベントが発生した場合は、第１画像表示装置２１ａまたは第２画像表示装置２１ｂにイベント画像を表示させるが、それ以外の通信端末３０でイベントが発生した場合は、イベント画像の表示を制限する。
【００３５】
情報表示制御装置１０の記憶部１８には、第１および第２画像表示装置２１ａ，２１ｂの表示内容の制限（表示制限）や、第１および第２操作入力装置２３ａ，２３ｂに対する操作の制限（操作制限）を行う条件が登録される制限情報テーブル１８４が記憶されている。実施の形態１の制限情報テーブル１８４には、情報表示制御装置１０に接続された画像表示装置ごとに、イベント画像の表示を許可する通信端末（イベント画像許可端末）のリストが登録される。図２は、実施の形態１における制限情報テーブル１８４の例を示す図である。図２では、第１画像表示装置のイベント画像許可端末として通信端末Ａが登録され、第２画像表示装置のイベント画像許可端末として通信端末Ｂ，Ｃが登録されている例を示している。
【００３６】
制御部１１は、イベント画像許可端末として登録されている通信端末３０でイベントが発生したときはイベント画像の表示を許可するが、それ以外の通信端末３０でイベントが発生した場合は、イベント画像の表示を制限する。イベント画像許可端末は、情報表示制御装置１０に接続される画像表示装置ごとに設定される。従って、イベント画像の表示が許可される通信端末３０は、どの画像表示装置が選択されているかによって異なることになる。
【００３７】
情報表示制御装置１０のユーザは、画像表示装置ごとに、イベント画像の表示を許可する通信端末３０を、制限情報テーブル１８４に予め登録しておく。制限情報テーブル１８４に登録する通信端末３０の情報は、個々の通信端末３０を識別可能な情報（識別子）であれば任意のものでよい。そのような識別子としては、例えば、通信端末のＩＭＥＩ（International Mobile Equipment Identity）番号やＭＡＣアドレス（Media Access Control address）、電話番号などが考えられる。
【００３８】
次に、実施の形態１に係る情報表示システムの動作を説明する。以下の説明では、情報表示制御装置１０、第１画像表示装置２１ａ、第２画像表示装置２１ｂ、音声出力装置２２、第１操作入力装置２３ａおよび第２操作入力装置２３ｂはいずれも車載装置であり、通信端末３０はスマートフォンであると仮定する。
【００３９】
第１画像表示装置２１ａと第１操作入力装置２３ａは、一つのタッチパネル（後述の「第１タッチパネル装置２１２ａ」）として構成され、第２画像表示装置２１ｂと第２操作入力装置２３ｂも、一つのタッチパネル（後述の「第２タッチパネル装置２１２ｂ」）として構成されているものとする。同様に、通信端末３０の表示部３１および操作部３２も、一つのタッチパネル（タッチパネル部３１２）として構成されているものとする。
【００４０】
また、通信端末３０で動作するアプリケーションとして、経路案内を行うナビゲーション用アプリケーションを例示し、通信端末３０に発生するイベントとして、電話着信を例示する。但し、本発明の適用は、そのアプリケーションとイベントの組み合わせに限定されるものではない。例えば、通信端末３０用アプリケーションは、ブラウザや画像ビューアや動画再生アプリケーションなどでもよく、通信端末３０に発生するイベントとしては、Ｅメール着信などでもよい。
【００４１】
まず、情報表示制御装置１０と通信端末３０との連携（リンク）機能の概要を説明する。ここでは、ユーザの設定により、第１および第２画像表示装置２１ａ，２１ｂのうち、第１画像表示装置２１ａが選択されていると仮定する。
【００４２】
情報表示制御装置１０と通信端末３０とが有線または無線により物理接続され、双方の通信によってリンクが確立すると、図３に示すように、ユーザにより選択された第１画像表示装置２１ａ（第１タッチパネル装置２１２ａ）に、通信端末３０の表示部３１（タッチパネル部３１２）と同じ画像が表示される。選択されていない第２画像表示装置２１ｂ（第２タッチパネル装置２１２ｂ）は、非表示状態である。
【００４３】
情報表示制御装置１０と通信端末３０とがリンクしている間、通信端末３０が出力する画像や音声などのコンテンツは情報表示制御装置１０へ送信され、情報表示制御装置１０は当該コンテンツを第１画像表示装置２１ａおよび音声出力装置２２を用いて出力することができる。
【００４４】
さらに、ユーザは、情報表示制御装置１０と通信端末３０とがリンクしている間、第１操作入力装置２３ａ（第１タッチパネル装置２１２ａ）を操作することによって、通信端末３０の操作部３２（タッチパネル部３１２）を操作するのと同じ感覚で、通信端末３０をリモート操作することができる。なお、リンクが確立している間も通信端末３０の操作部３２の操作は可能であり、通信端末３０は、操作部３２からも第１操作入力装置２３ａからも操作可能な状態になる。
【００４５】
例えば、図３に示した状態から、ユーザが第１タッチパネル装置２１２ａに表示された「ナビゲーション」のアイコンにタッチすると、通信端末３０のタッチパネル部３１２を操作したときと同じように、通信端末３０でナビゲーション用アプリケーションが起動する。すると、図４のように、通信端末３０のタッチパネル部３１２に当該アプリケーションの画像（ここでは地図）が表示され、それと共に、第１タッチパネル装置２１２ａにも通信端末３０のタッチパネル部３１２と同じ画像が表示される。また、当該アプリケーションが、例えば経路案内のための音声を出力すると、その音声が情報表示制御装置１０に接続された音声出力装置２２から出力される。
【００４６】
このように、情報表示制御装置１０と通信端末３０とがリンクした状態では、情報表示制御装置１０と通信端末３０とが互いに連携した動作を行う。
【００４７】
次に、通信端末３０とのリンク中に、通信端末３０で所定のイベントが発生した場合における情報表示制御装置１０の動作を説明する。
【００４８】
図５は、リンク中の通信端末３０でイベントが発生したときにおける、実施の形態１に係る情報表示制御装置１０の表示制御動作を示すフローチャートである。
【００４９】
例えば、図４の状態から、通信端末３０で電話着信のイベントが発生すると、情報表示制御装置１０は、制限情報テーブル１８４を参照して、通信端末３０が選択中の第１画像表示装置２１ａのイベント画像許可端末であるか否かを確認する（ステップＳ１１）。
【００５０】
通信端末３０が第１画像表示装置２１ａのイベント画像許可端末である場合（ステップＳ１１でＹＥＳ）、情報表示制御装置１０は、図６のように、第１画像表示装置２１ａにイベント画像を表示する（ステップＳ１２）。
【００５１】
ここでは、イベント画像として、電話の発信者の名前および電話番号を表す文字と「通話開始」および「保留」の操作ボタン（アイコン）とからなる着信画面の画像が表示された例を示している。当該イベント画像はユーザインターフェイスとしても機能し、ユーザは、イベント画像の「通話開始」ボタンにタッチすることにより、通信端末３０を用いたハンズフリー通話を開始することができる。
【００５２】
通信端末３０が第１画像表示装置２１ａのイベント画像許可端末でない場合（ステップＳ１１でＮＯ）、情報表示制御装置１０は、図７のように、第１画像表示装置２１ａにおけるアプリケーション画像の表示を維持する（ステップＳ１３）。但し、イベント発生中は通信端末３０からのアプリケーション画像の送信が中断されるので、画像記憶部１４に記憶されているイベント発生直前のアプリケーション画像（記憶アプリケーション画像）を、第１画像表示装置２１ａに表示させる。
【００５３】
なお、第１および第２画像表示装置２１ａ，２１ｂで、通信端末３０のイベント画像の表示が制限されても、通信端末３０の所有者は、通信端末３０の表示部３１でイベント画像を見ることができ、また、操作部３２を使って通信端末３０を操作できるので、通信端末３０の使用上の問題はない。
【００５４】
一方、ユーザの設定により、第２画像表示装置２１ｂが選択されている場合、情報表示制御装置１０と通信端末３０とのリンクが確立すると、図８のように、通信端末３０が出力するアプリケーション画像は第２画像表示装置２１ｂ（第２タッチパネル装置２１２ｂ）に表示される。この場合、ユーザは、第２操作入力装置２３ｂ（第２タッチパネル装置２１２ｂ）を操作することによって、通信端末３０の操作部３２（タッチパネル部３１２）を操作するのと同じ感覚で、通信端末３０をリモート操作することができる。このとき通信端末３０は、操作部３２からも第２操作入力装置２３ｂからも操作可能となっている。
【００５５】
例えば、図８の状態から、通信端末３０で電話着信のイベントが発生すると、情報表示制御装置１０は、制限情報テーブル１８４を参照して、通信端末３０が選択中の第２画像表示装置２１ｂのイベント画像許可端末であるか否かを確認する（図５のステップＳ１１）。
【００５６】
通信端末３０が第２画像表示装置２１ｂのイベント画像許可端末である場合（ステップＳ１１でＹＥＳ）、情報表示制御装置１０は、図９のように、第２画像表示装置２１ｂにイベント画像を表示する（ステップＳ１２）。
【００５７】
通信端末３０が第２画像表示装置２１ｂのイベント画像許可端末でない場合（ステップＳ１１でＮＯ）、情報表示制御装置１０は、図１０のように、第２画像表示装置２１ｂにおけるアプリケーション画像の表示を維持する（ステップＳ１３）。このときも、イベント発生中は通信端末３０からのアプリケーション画像の送信が中断されているので、第２画像表示装置２１ｂには記憶アプリケーション画像を表示させる。
【００５８】
本実施の形態の情報表示システムでは、制限情報テーブル１８４において画像表示装置ごとに異なる通信端末３０をイベント画像許可端末として登録することができる。つまり、イベント画像の表示を許可する通信端末３０を、画像表示装置ごとに変えることができる。
【００５９】
実施の形態１の情報表示制御装置１０を車両に搭載させ、第１画像表示装置２１ａを運転席側に、第２画像表示装置２１ｂを助手席側に配置する場合、運転者の通信端末３０を第１画像表示装置２１ａのイベント画像許可端末とし、助手席にいる同乗者の通信端末３０を第２画像表示装置２１ｂのイベント画像許可端末とすることが有効である。
【００６０】
例えば、運転者の通信端末３０を情報表示制御装置１０にリンクさせる場合を考える。その場合、運転者の通信端末３０のアプリケーション画像を、図４のように運転席側の第１画像表示装置２１ａに表示させているときは、当該通信端末３０にイベントが発生すると、図６のようにイベント画像が表示される。それにより、運転者にとって高い利便性が得られる。
【００６１】
しかし、運転者の通信端末３０のアプリケーション画像を、図８のように助手席側の第２画像表示装置２１ｂに表示させているときは、当該通信端末３０にイベントが発生しても、図１０のようにイベント画像は表示されない。それにより、運転者のプライバシーを保護することができる。
【００６２】
逆に、助手席にいる同乗者の通信端末３０を情報表示制御装置１０にリンクさせる場合を考える。その場合、助手席にいる同乗者の通信端末３０のアプリケーション画像を、図４のように運転席側の第１画像表示装置２１ａに表示させているときは、当該通信端末３０にイベントが発生しても、図７のようにイベント画像は表示されない。それにより、助手席にいる同乗者のプライバシーを保護することができる。
【００６３】
しかし、助手席にいる同乗者の通信端末３０のアプリケーション画像を、図８のように助手席側の第２画像表示装置２１ｂに表示させているときは、当該通信端末３０にイベントが発生すると、図９のようにイベント画像が表示される。それにより、助手席にいる同乗者にとって高い利便性が得られる。
【００６４】
上の説明では、第１および第２画像表示装置２１ａ，２１ｂを、それぞれ個別の表示装置として説明したが、第１および第２画像表示装置２１ａ，２１ｂは、一つの画面を用いて２つの画像をそれぞれ異なる方向（例えば運転席側と助手席側）に表示するスプリットビューモニタで実現されていてもよい。
【００６５】
また、第１および第２操作入力装置２３ａ，２３ｂはそれぞれ個別の装置として示したが、それらを単体の操作入力装置として構成してもよい。すなわち、単体の操作入力装置が、第１操作入力装置２３ａとして機能する動作モード、または第２操作入力装置２３ｂとして機能する動作モードに、切り替わる構成としてもよい。例えば、第１画像表示装置２１ａが選択されると第１操作入力装置２３ａとして機能する動作モードになり、第２画像表示装置２１ｂが選択されると第２操作入力装置２３ｂとして機能する動作モードになるようにするとよい。
【００６６】
なお、上の説明では、通信端末３０が選択中の画像表示装置のイベント画像許可端末か否かの確認をイベント発生時に行う例を示したが、イベントの発生前（例えばリンクの確立時や、画像表示装置の選択時）にその確認を済ませていてもよい。
【００６７】
＜実施の形態２＞
実施の形態２では、アプリケーション画像の表示制限およびアプリケーション画像に対する操作制限を、画像表示装置ごとに異なる制御方法で行うことが可能な情報表示システムを提案する。実施の形態２に係る情報表示システムの構成は、図１と同様である。また、実施の形態２では、情報表示制御装置１０は車両に搭載されるものとする。
【００６８】
但し、記憶部１８に記憶される制限情報テーブル１８４には、情報表示制御装置１０に接続される各画像表示装置の属性情報が登録される。図１１は、実施の形態２における制限情報テーブル１８４の例を示す図である。制限情報テーブル１８４には、車両内の設置場所（運転席、助手席、後部座席など）を示す属性情報が、画像表示装置ごとに登録される。なお、情報表示制御装置１０に接続される画像表示装置の台数は任意でよいが、図１１には、情報表示制御装置１０に３つの画像表示装置（第１〜第３画像表示装置）が接続される例を示している。
【００６９】
情報表示制御装置１０は、通信端末３０で動作しているアプリケーションの属性に応じて、アプリケーション画像の表示制限および操作制限の程度を変える。表示制限および操作制限の程度は１〜３の制限レベルで表され、制限レベルの値はアプリケーションの属性ごとに規定される。図１２に、通信端末３０で動作するアプリケーションの制限レベルの例を示す。
【００７０】
アプリケーションの制限レベルと、アプリケーション画像の表示制限および操作制限との関係は、図１３のように規定されているものとする。すなわち、制限レベルが「１」のアプリケーションは、車両内のどの画像表示装置が選択されていても、アプリケーション画像の表示制限および操作制限は行われない。制限レベルが「２」のアプリケーションは、運転席の画像表示装置が選択されている場合に、車両が走行中の間、アプリケーション画像の操作制限を行う（アプリケーション画像の表示は許可する）。制限レベルが３のアプリケーションは、運転席の画像表示装置が選択されている場合に、車両が走行中の間、アプリケーション画像の表示制限と操作制限の両方を行う。
【００７１】
例えば、車両の運転をサポートするナビゲーション用のアプリケーションなどは、制限レベルが「１」に定められる。また、運転席の画像表示装置に表示されていても運転への集中の妨げとはならない画像ビューアなどのアプリケーションは、制限レベルが「２」に定められる。また、表示されると運転者の目を引いてしまい、運転への集中の妨げとなるゲームのアプリケーションなどは、制限レベルが「３」に定められる。
【００７２】
図１４は、実施の形態２に係る情報表示制御装置１０における、通信端末３０のアプリケーション画像の表示制限および操作制限の動作を示すフローチャートである。車両に搭載された情報表示制御装置１０は、通信端末３０とのリンクが確立している間、図１４の処理を繰り返し実行する。
【００７３】
まず、情報表示制御装置１０は、自己を搭載した車両が走行中か否かを確認する（ステップＳ２１）。車両が走行中であれば（ステップＳ２１でＹＥＳ）、制限情報テーブル１８４を参照して、選択中の画像表示装置が運転席用のものか否か（属性が「運転席」か否か）を確認する（ステップＳ２２）。運転席用の画像表示装置であれば（ステップＳ２２でＹＥＳ）、さらに通信端末３０で実行中のアプリケーションの属性を確認して、その制限レベルを確認する（ステップＳ２３）。
【００７４】
ステップＳ２３において、通信端末３０で実行中のアプリケーションの制限レベルが「１」の場合、アプリケーション画像の表示と操作の両方を許可する（既に表示制限および操作制限が実行されていれば、それらを解除する）（ステップＳ２４）。また、当該アプリケーションの制限レベルが「２」の場合、アプリケーション画像の操作制限のみを行う（アプリケーション画像の表示は許可する）（ステップＳ２５）。また、当該アプリケーションの制限レベルが「３」の場合、アプリケーション画像の表示制限と操作制限の両方を行う（ステップＳ２６）。
【００７５】
なお、車両が停止中の場合（ステップＳ２１でＮＯ）、または選択中の画像表示装置が運転席以外のものである場合（ステップＳ２２でＮＯ）には、アプリケーション画像の表示制限および操作制限を行わない（ステップＳ２４）。
【００７６】
以上の処理により、図１３に示した運転席用の画像表示装置に対するアプリケーション画像の表示制限および操作制限が行われる。
【００７７】
本実施の形態によれば、複数の画像表示装置が接続された情報表示制御装置１０において、アプリケーション画像の表示制限および操作制限の制御方法を画像表示装置ごとに変えることができ、高い利便性が得られる。
【００７８】
なお、図１１には、属性情報としての車両内の設置場所が「運転席」、「助手席」、「後部座席」などと細分化された例を示したが、図１３のように運転席用の画像表示装置のみでアプリケーション画像の表示制限および操作制限を行うような場合には、属性情報は「運転席」と「運転席以外」の２通りでもよい。
【００７９】
また、図１３に示した例では、車両が停止中の場合はアプリケーション画像の表示制限および操作制限を行わないように規定したが、車両が停止中のときも条件に応じて表示制限または操作制限が行われるように規定してもよい。それにより、車両の走行中と停止中とで、アプリケーション画像の表示制限および操作制限の制御方法が切り替わるようになり、さらなる利便性の向上に寄与できる。
【００８０】
実施の形態２におけるアプリケーション画像の表示制限および操作制限は、実施の形態１におけるイベント画像と組み合わせて実行されてもよい。
【００８１】
＜実施の形態３＞
図１５は、実施の形態３に係る情報表示システムの構成図である。当該情報表示システムは、情報表示制御装置１０を複数含んでいる。図１５に示す個々の情報表示制御装置１０の内部構成は図１と同様であるので、ここでの図示は省略している。またそれぞれの情報表示制御装置１０には画像表示装置２１、音声出力装置２２および操作入力装置２３が１つずつ接続されている。
【００８２】
通信端末３０がどの情報表示制御装置１０とリンクするか（どの情報表示制御装置１０の通信部１２と通信するか）、および、情報表示制御装置１０がどの通信端末３０とリンクするか（情報表示制御装置１０の通信部１２がどの通信端末３０と通信するか）は、ユーザによる設定に従って選択される。ユーザによる設定は、リンクする情報表示制御装置１０と通信端末３０のどちら側で行われてもよい。
【００８３】
例えば、ユーザが通信端末３０を操作してリンク対象とする情報表示制御装置１０を指定した場合、指定された情報表示制御装置１０ではその通信端末３０をリンク対象として指定する処理が自動的に行われる。逆に、ユーザが情報表示制御装置１０を操作してリンク対象とする通信端末３０を指定した場合、指定された通信端末３０ではその情報表示制御装置１０をリンク対象として指定する処理が自動的に行われる。あるいは、プライバシー保護の観点から、情報表示制御装置１０と通信端末３０の双方でリンク対象を指定する方式を採ってもよい。
【００８４】
実施の形態３では、これら複数の情報表示制御装置１０は車両に搭載されるものとする。また、制限情報テーブル１８４には、図１６に示すように、当該情報表示制御装置１０に対しイベント画像の表示を許可する通信端末３０（イベント画像許可端末）と、当該情報表示制御装置１０の設置場所（運転席、助手席、後部座席など）を示す属性情報が登録される。
【００８５】
情報表示制御装置１０のそれぞれは、制限情報テーブル１８４に基づいて、実施の形態１と同様のイベント画像の表示制限や、実施の形態２と同様のアプリケーション画像の表示制限および操作制限を行う。
【００８６】
イベント画像の表示制限は、図１７の処理によって行われる。図１７は、図５とほぼ同様であるが、ステップＳ１１においてリンク中の通信端末３０について確認する内容が「選択中の画像表示装置のイベント画像許可端末か」から「情報表示制御装置のイベント画像許可端末か」に変更されている。
【００８７】
すなわち、情報表示制御装置１０は、リンク中の通信端末３０が自己のイベント画像許可端末として制限情報テーブル１８４に登録されていれば（ステップＳ１１でＹＥＳ）、画像表示装置２１に当該通信端末３０のイベント画像を表示させ（ステップＳ１２）、登録されていなければ（ステップＳ１２でＮＯ）、画像表示装置２１にイベント画像を表示させず、アプリケーション画像の表示を維持させる（ステップＳ１３）。
【００８８】
アプリケーション画像の表示制限および操作制限は、図１８の処理によって行われる。図１８は、図１４とほぼ同様であるが、ステップＳ２２において設置場所（属性）を確認する対象が「画像表示装置」から「情報表示制御装置」に変更されている。
【００８９】
すなわち、情報表示制御装置１０は、自己を搭載した車両が走行中であり（ステップＳ２１でＹＥＳ）、自己が運転席用のものであれば（自己の属性が「運転席」であれば）（ステップＳ２２でＹＥＳ）、通信端末３０で実行中のアプリケーションの制限レベルに応じたアプリケーション画像の表示制限および操作制限を実施する（ステップＳ２４〜Ｓ２６）。それ以外の場合には（ステップＳ２１でＮＯ、またはステップＳ２２でＮＯ）、アプリケーション画像の表示制限および操作制限を行わない（ステップＳ２４）。
【００９０】
本実施の形態では、情報表示制御装置１０ごとにイベント画像の表示を許可する通信端末３０を変えたり、情報表示制御装置１０ごとにアプリケーション画像の表示制限および操作制限の制御方法を変えたりできる。それにより、実施の形態１および２と同様の効果が得られる。
【００９１】
なお、本実施の形態では、イベント画像の表示制限の処理や、アプリケーション画像の表示制限および操作制限の処理を、情報表示制御装置１０が行うものとして説明したが、それらの処理は通信端末３０側で行われてもよい。
【００９２】
すなわち、イベント画像の表示制限を行う場合は、通信端末３０が、リンク中の情報表示制御装置１０の制限情報テーブル１８４を参照し、当該通信端末３０がイベント画像許可端末として登録されていれば、情報表示制御装置１０に対してイベント画像の表示を許可するようにしてもよい。
【００９３】
また、アプリケーション画像の表示制限および操作制限を行う場合は、情報表示制御装置１０を搭載した車両が走行中かどうかの確認、および当該情報表示制御装置１０が運転席用かどうかの確認が通信端末３０で行われてもよい。さらに、車両が走行中であり、情報表示制御装置１０が運転席用のものであれば、通信端末３０が、情報表示制御装置１０に対し、アプリケーションの制限レベルに応じたアプリケーション画像の表示制限および操作制限を行わせるようにしてもよい。
【００９４】
上の説明では、通信端末３０が、リンクする情報表示制御装置１０を１台選択する構成を示したが、通信端末３０が複数の情報表示制御装置１０と同時にリンク可能にしてもよい。その場合、上記したイベント画像の表示制限や、アプリケーション画像の表示制限および操作制限が、個々の情報表示制御装置１０または通信端末３０において実施される。
【００９５】
＜実施の形態４＞
実施の形態３では、情報表示制御装置１０の制限情報テーブル１８４にイベント画像許可端末が登録される構成を示したが、実施の形態４では、それに代えて情報表示制御装置１０のユーザＩＤ（所有者識別子）が登録される。情報表示システムの構成は実施の形態３と同じでよい。
【００９６】
図１９は、実施の形態４における制限情報テーブル１８４を示している。ユーザＩＤは、情報表示制御装置１０の所有者を特定可能な情報であり、通信端末３０のユーザＩＤと共通のものが用いられる。つまり、所有者が同じ情報表示制御装置１０および通信端末３０には、それぞれ同一のユーザＩＤが割り当てられる。
【００９７】
実施の形態４に係る情報表示制御装置１０は、リンク中の通信端末３０の所有者が、当該情報表示制御装置１０の所有者と同じと判断される場合にのみ、イベント画像の表示を許可する。通信端末３０のイベント画像の表示が許可される情報表示制御装置１０が、その通信端末３０の所有者のものに限られるため、当該所有者のプライバシーが保護される。
【００９８】
図２０は、通信端末でイベントが発生したときの、実施の形態４に係る情報表示制御装置１０の表示制御動作を示すフローチャートである。
【００９９】
情報表示制御装置１０は、リンク中の通信端末３０のユーザＩＤと、制限情報テーブル１８４に登録されているユーザＩＤとが同じか否かを確認する（ステップＳ３１）。両者が同じであれば（ステップＳ３１でＹＥＳ）、画像表示装置２１に当該通信端末３０のイベント画像を表示させ（ステップＳ３２）、同じでなければ（ステップＳ３１でＮＯ）、画像表示装置２１にアプリケーション画像の表示を維持させる（ステップＳ３３）。
【０１００】
なお、アプリケーション画像の表示制限および操作制限については、実施の形態３と同じでよいため、説明は省略する。
【０１０１】
本実施の形態でも、イベント画像の表示制限の処理は、通信端末３０側で行われてもよい。すなわち、通信端末３０が、リンク中の情報表示制御装置１０の制限情報テーブル１８４を参照し、制限情報テーブル１８４に登録されているユーザＩＤと自己のユーザＩＤとが同じであれば、情報表示制御装置１０に対してイベント画像の表示を許可するようにしてもよい。
【０１０２】
＜実施の形態５＞
実施の形態５では、実施の形態３または４の情報表示システムにおいて、通信端末３０が運転席用の情報表示制御装置１０とリンクしたときは、通信端末３０の表示部３１の画面を省電力モード（例えば、低輝度モードや非表示モードなど）にする。
【０１０３】
図２１は、実施の形態５に係る情報表示制御装置１０の動作を示すフローチャートである。情報表示制御装置１０は、通信端末３０とのリンクが確立すると、制限情報テーブル１８４を参照し、自己が運転席用のものか否かを確認する（ステップＳ４１）。当該情報表示制御装置１０が運転席用のものであれば（ステップＳ４１でＹＥＳ）、通信端末３０の画像を省電力モードに移行させる（ステップＳ４２）。当該情報表示制御装置１０が運転席用のものでなければ（ステップＳ４１でＮＯ）、何も行わない（通信端末３０の画像はそれまでの動作モードを継続する）。
【０１０４】
通常、運転者は、通信端末３０の画面を見ずに、それとリンクした情報表示制御装置１０の画像表示装置２１の画面を見るので、通信端末３０の画面を省電力モードに移行させても、利便性が損なわれることはない。むしろ、通信端末３０の消費電力を抑えることができるので、通信端末３０の連続使用可能時間が長くなり、利便性の向上が期待できる。
【０１０５】
また、図２１の判断処理および動作モードの切り替え処理は、通信端末３０側で行われてもよい。すなわち、通信端末３０が、リンク中の情報表示制御装置１０の制限情報テーブル１８４を参照し、情報表示制御装置１０が運転席用のものであれば、自己の表示部３１の画面を省電力モードに移行させるようにしてもよい。
【０１０６】
なお、本発明は、その発明の範囲内において、各実施の形態を自由に組み合わせたり、各実施の形態を適宜、変形、省略することが可能である。
【０１０７】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１０８】
１０  情報表示制御装置、１１  制御部、１２  通信部、１３  画像処理部、１４  画像記憶部、１５  音声処理部、１６  通信端末情報解析部、１７  通信端末制御部、１８  記憶部、１８１  制御プログラム、１８２  アプリケーションプログラム、１８４  制限情報テーブル、２１  画像表示装置、２２  音声出力装置、２３  操作入力装置、２１ａ  第１画像表示装置、２１ｂ  第２画像表示装置、２３ａ  第１操作入力装置、２３ｂ  第２操作入力装置、２４  移動速度検出装置、３０  通信端末、３１  表示部、３２  操作部、３３  制御部、４１  通信網、４２  遠端側通信装置、４３  ＧＰＳ、２１２  タッチパネル装置、２１２ａ  第１タッチパネル装置、２１２ｂ  第２タッチパネル装置、３１２  タッチパネル部。
【図１】
2014112094.tif 000003
【図２】
2014112094.tif 000004
【図３】
2014112094.tif 000005
【図４】
2014112094.tif 000006
【図５】
2014112094.tif 000007
【図６】
2014112094.tif 000008
【図７】
2014112094.tif 000009
【図８】
2014112094.tif 000010
【図９】
2014112094.tif 000011
【図１０】
2014112094.tif 000012
【図１１】
2014112094.tif 000013
【図１２】
2014112094.tif 000014
【図１３】
2014112094.tif 000015
【図１４】
2014112094.tif 000016
【図１５】
2014112094.tif 000017
【図１６】
2014112094.tif 000018
【図１７】
2014112094.tif 000019
【図１８】
2014112094.tif 000020
【図１９】
2014112094.tif 000021
【図２０】
2014112094.tif 000022
【図２１】
2014112094.tif 000023
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
複数の表示装置を制御可能な情報表示制御装置であって、
通信端末との通信を行う通信部と、
前記通信端末で動作しているアプリケーションの画像および当該通信端末におけるイベントの発生情報を前記通信部を介して取得し、当該アプリケーションの画像および当該イベントの発生を示すイベント画像を前記複数の表示装置に表示可能な画像処理部と、
前記アプリケーションの画像および前記イベント画像の表示を、前記複数の表示装置のどれで行うかを、ユーザによる設定に従って選択する制御部とを備える
ことを特徴とする情報表示制御装置。
【請求項２】
前記制御部はさらに、予め定められた条件に従って、前記アプリケーションの画像または前記イベント画像の表示制限を行う
請求項１記載の情報表示制御装置。
【請求項３】
前記制御部は、前記通信端末が特定の通信端末である場合にのみ前記イベント画像の表示を許可し、
前記特定の通信端末は、どの表示装置が選択されているかによって異なる
請求項２記載の情報表示制御装置。
【請求項４】
前記制御部はさらに、予め定められた条件に従って、前記アプリケーションの画像に対する操作制限を行う
請求項２記載の情報表示制御装置。
【請求項５】
前記制御部は、前記アプリケーションの属性に応じて、前記アプリケーションの画像の表示制限および操作制限の制御方法を変更する
請求項４記載の情報表示制御装置。
【請求項６】
前記制御部は、選択されている表示装置の属性に応じて、前記アプリケーションの画像の表示制限および操作制限の制御方法を変更する
請求項４記載の情報表示制御装置。
【請求項７】
前記複数の表示装置それぞれの属性を記憶する記憶部を備え、
前記複数の表示装置それぞれの属性は、ユーザが設定可能である
請求項６記載の情報表示制御装置。
【請求項８】
当該情報表示制御装置は、車両に搭載可能であり、
前記複数の表示装置の属性は、前記車両内の設置場所の情報を含んでいる
請求項６記載の情報表示制御装置。
【請求項９】
前記制御部は、前記車両の走行時と停止時とで、前記アプリケーションの画像の表示制限および操作制限の制御方法を変更する
請求項８記載の情報表示制御装置。
【請求項１０】
通信端末との通信を行う通信部と、
前記通信端末で動作しているアプリケーションの画像および当該通信端末におけるイベントの発生情報を前記通信部を介して取得し、当該アプリケーションの画像および当該イベントの発生を示すイベント画像を表示装置に表示可能な画像処理部と、
前記通信部がどの通信端末と通信するかを、ユーザによる設定に従って選択する制御部と
を備え、
前記制御部はさらに、予め定められた条件に従って、前記アプリケーションの画像または前記イベント画像の表示制限を行う
情報表示制御装置。
【請求項１１】
前記制御部は、前記通信端末が特定の通信端末である場合にのみ前記イベント画像の表示を許可する
請求項１０記載の情報表示制御装置。
【請求項１２】
前記制御部は、前記通信端末が当該情報表示制御装置と同じ所有者に属するものと判断される場合に前記イベント画像の表示を許可する
請求項１０記載の情報表示制御装置。
【請求項１３】
前記制御部はさらに、予め定められた条件に従って、前記アプリケーションの画像に対する操作制限を行う
請求項１０記載の情報表示制御装置。
【請求項１４】
前記制御部は、前記アプリケーションの属性に応じて、前記アプリケーションの画像の表示制限および操作制限の制御方法を変更する
請求項１３記載の情報表示制御装置。
【請求項１５】
前記制御部は、当該情報表示制御装置の属性に応じて、前記アプリケーションの画像の表示制限および操作制限の制御方法を変更する
請求項１３記載の情報表示制御装置。
【請求項１６】
前記属性は、ユーザが設定可能である
請求項１５記載の情報表示制御装置。
【請求項１７】
当該情報表示制御装置は、車両に搭載可能であり、
前記属性は、前記車両内の設置場所の情報を含んでいる
請求項１５記載の情報表示制御装置。
【請求項１８】
前記制御部は、前記車両の走行時と停止時とで、前記アプリケーションの画像の表示制限および操作制限の制御方法を変更する
請求項１７記載の情報表示制御装置。
【請求項１９】
当該情報表示制御装置は、車両に搭載可能であり、当該車両内の設置場所が登録されており、
前記設置場所が運転席である場合、前記通信端末の画面を省電力モードにする
請求項１０記載の情報表示制御装置。
【請求項２０】
情報表示制御装置とのリンクが可能な通信端末であって、
当該通信端末で動作しているアプリケーションの画像および当該通信端末におけるイベントの発生情報を、前記情報表示制御装置へ送信する通信部と、
どの情報表示制御装置とリンクするかを、ユーザによる設定に従って選択する制御部と
を備え、
前記制御部はさらに、前記情報表示制御装置に対し、予め定められた条件に従って、前記アプリケーションの画像または前記イベントの発生を示すイベント画像の表示を制限させる
通信端末。
【請求項２１】
前記制御部は、当該通信端末が登録されている情報表示制御装置に対し、前記イベント画像の表示を許可する
請求項２０記載の通信端末。
【請求項２２】
前記制御部は、当該通信端末と同じ所有者に属すると判断される情報表示制御装置に対し、前記イベント画像の表示を許可する
請求項２０記載の通信端末。
【請求項２３】
前記制御部はさらに、前記情報表示制御装置に対し、予め定められた条件に従って、前記アプリケーションの画像に対する操作制限を行う
請求項２０記載の通信端末。
【請求項２４】
前記制御部は、前記アプリケーションの属性に応じて、前記アプリケーションの画像の表示制限および操作制限の制御方法を変更する
請求項２３記載の通信端末。
【請求項２５】
前記制御部は、前記情報表示制御装置の属性に応じて、前記アプリケーションの画像の表示制限および操作制限の制御方法を変更する
請求項２３記載の通信端末。
【請求項２６】
前記情報表示制御装置の属性は、車両内の設置場所の情報を含んでいる
請求項２５記載の通信端末。
【請求項２７】
前記制御部は、前記車両の走行時と停止時とで、前記アプリケーションの画像の表示制限および操作制限の制御方法を変更する
請求項２６記載の通信端末。
【請求項２８】
前記情報表示制御装置が車両の運転席用のものであると判断される場合、画面を省電力モードにする
請求項２０記載の通信端末。
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
複数の表示装置を制御可能な情報表示制御装置であって、
通信端末との通信を行う通信部と、
前記通信端末で動作しているアプリケーションの画像および当該通信端末におけるイベントの発生情報を前記通信部を介して取得し、当該アプリケーションの画像および当該イベントの発生を示すイベント画像を前記複数の表示装置に表示可能な画像処理部と、
前記アプリケーションの画像および前記イベント画像の表示を、前記複数の表示装置のどれで行うかを、ユーザによる設定に従って選択する制御部と、
前記表示装置ごとに、前記イベント画像の表示を許可する通信端末が登録される制限情報テーブルを記憶する制限情報記憶部と、を備え、
前記制御部は、前記制限情報テーブルに基づいて、前記表示装置ごとに、前記制限情報テーブルに登録されていない通信端末の前記イベント画像の表示を制限する
ことを特徴とする情報表示制御装置。
【請求項２】
前記制御部はさらに、予め定められた条件に従って、前記アプリケーションの画像の表示制限を行う
請求項１記載の情報表示制御装置。
【請求項３】
前記制御部はさらに、予め定められた条件に従って、前記アプリケーションの画像に対する操作制限を行う
請求項２記載の情報表示制御装置。
【請求項４】
前記制御部は、前記アプリケーションの属性に応じて、前記アプリケーションの画像の表示制限および操作制限の制御方法を変更する
請求項３記載の情報表示制御装置。
【請求項５】
前記制御部は、選択されている表示装置の属性に応じて、前記アプリケーションの画像の表示制限および操作制限の制御方法を変更する
請求項３記載の情報表示制御装置。
【請求項６】
前記複数の表示装置それぞれの属性を記憶する記憶部を備え、
前記複数の表示装置それぞれの属性は、ユーザが設定可能である
請求項５記載の情報表示制御装置。
【請求項７】
当該情報表示制御装置は、車両に搭載可能であり、
前記複数の表示装置の属性は、前記車両内の設置場所の情報を含んでいる
請求項５記載の情報表示制御装置。
【請求項８】
前記制御部は、前記車両の走行時と停止時とで、前記アプリケーションの画像の表示制限および操作制限の制御方法を変更する
請求項７記載の情報表示制御装置。
【請求項９】
通信端末との通信を行う通信部と、
前記通信端末で動作しているアプリケーションの画像および当該通信端末におけるイベントの発生情報を前記通信部を介して取得し、当該アプリケーションの画像および当該イベントの発生を示すイベント画像を表示装置に表示可能な画像処理部と、
前記通信部がどの通信端末と通信するかを、ユーザによる設定に従って選択する制御部と、
前記表示装置ごとに、前記イベント画像の表示を許可する通信端末が登録される制限情報テーブルを記憶する制限情報記憶部と、を備え、
前記制御部は、前記制限情報テーブルに基づいて、前記制限情報テーブルに登録されていない通信端末の前記イベント画像の前記表示装置への表示を制限する
情報表示制御装置。
【請求項１０】
通信端末との通信を行う通信部と、
前記通信端末で動作しているアプリケーションの画像および当該通信端末におけるイベントの発生情報を前記通信部を介して取得し、当該アプリケーションの画像および当該イベントの発生を示すイベント画像を表示装置に表示可能な画像処理部と、
前記通信部がどの通信端末と通信するかを、ユーザによる設定に従って選択する制御部と、
前記表示装置ごとに、前記イベント画像の表示を許可する通信端末のユーザＩＤが登録される制限情報テーブルを記憶する制限情報記憶部と、を備え、
前記制御部は、前記制限情報テーブルに基づいて、前記制限情報テーブルに登録されていないユーザＩＤを持つ通信端末の前記イベント画像の前記表示装置への表示を制限する
情報表示制御装置。
【請求項１１】
前記制御部はさらに、予め定められた条件に従って、前記アプリケーションの画像の表示制限を行う
請求項９または請求項１０記載の情報表示制御装置。
【請求項１２】
前記制御部はさらに、予め定められた条件に従って、前記アプリケーションの画像に対する操作制限を行う
請求項１１記載の情報表示制御装置。
【請求項１３】
前記制御部は、前記アプリケーションの属性に応じて、前記アプリケーションの画像の表示制限および操作制限の制御方法を変更する
請求項１２記載の情報表示制御装置。
【請求項１４】
前記制御部は、当該情報表示制御装置の属性に応じて、前記アプリケーションの画像の表示制限および操作制限の制御方法を変更する
請求項１２記載の情報表示制御装置。
【請求項１５】
前記属性は、ユーザが設定可能である
請求項１４記載の情報表示制御装置。
【請求項１６】
当該情報表示制御装置は、車両に搭載可能であり、
前記属性は、前記車両内の設置場所の情報を含んでいる
請求項１４記載の情報表示制御装置。
【請求項１７】
前記制御部は、前記車両の走行時と停止時とで、前記アプリケーションの画像の表示制限および操作制限の制御方法を変更する
請求項１６記載の情報表示制御装置。
【請求項１８】
当該情報表示制御装置は、車両に搭載可能であり、当該車両内の設置場所が登録されており、
前記設置場所が運転席である場合、前記通信端末の画面を省電力モードにする
請求項９記載の情報表示制御装置。
【請求項１９】
情報表示制御装置とのリンクが可能な通信端末であって、
当該通信端末で動作しているアプリケーションの画像および当該通信端末におけるイベントの発生情報を、前記情報表示制御装置へ送信する通信部と、
どの情報表示制御装置とリンクするかを、ユーザによる設定に従って選択する制御部と
を備え、
前記制御部は、当該通信端末が登録されている情報表示制御装置に対してのみ、前記イベントの発生を示すイベント画像の表示を許可する
通信端末。
【請求項２０】
情報表示制御装置とのリンクが可能な通信端末であって、
当該通信端末で動作しているアプリケーションの画像および当該通信端末におけるイベントの発生情報を、前記情報表示制御装置へ送信する通信部と、
どの情報表示制御装置とリンクするかを、ユーザによる設定に従って選択する制御部と
を備え、
前記制御部は、当該通信端末のユーザＩＤと同じユーザＩＤを持つ情報表示制御装置に対してのみ、前記イベントの発生を示すイベント画像の表示を許可する
通信端末。
【請求項２１】
前記制御部はさらに、前記情報表示制御装置に対し、予め定められた条件に従って、前記アプリケーションの画像の表示を制限させる
請求項１９または請求項２０記載の通信端末。
【請求項２２】
前記制御部はさらに、前記情報表示制御装置に対し、予め定められた条件に従って、前記アプリケーションの画像に対する操作制限を行う
請求項２１記載の通信端末。
【請求項２３】
前記制御部は、前記アプリケーションの属性に応じて、前記アプリケーションの画像の表示制限および操作制限の制御方法を変更する
請求項２２記載の通信端末。
【請求項２４】
前記制御部は、前記情報表示制御装置の属性に応じて、前記アプリケーションの画像の表示制限および操作制限の制御方法を変更する
請求項２２記載の通信端末。
【請求項２５】
前記情報表示制御装置の属性は、車両内の設置場所の情報を含んでいる
請求項２４記載の通信端末。
【請求項２６】
前記制御部は、前記車両の走行時と停止時とで、前記アプリケーションの画像の表示制限および操作制限の制御方法を変更する
請求項２５記載の通信端末。
【請求項２７】
前記情報表示制御装置が車両の運転席用のものであると判断される場合、画面を省電力モードにする
請求項１９記載の通信端末。
【手続補正２】
【補正対象書類名】明細書
【補正対象項目名】００１０
【補正方法】変更
【補正の内容】
【００１０】
本発明に係る情報表示制御装置は、複数の表示装置を制御可能な情報表示制御装置であって、通信端末との通信を行う通信部と、通信端末で動作しているアプリケーションの画像および当該通信端末におけるイベントの発生情報を通信部を介して取得し、当該アプリケーションの画像および当該イベントの発生を示すイベント画像を複数の表示装置に表示可能な画像処理部と、アプリケーションの画像およびイベント画像の表示を、複数の表示装置のどれで行うかを、ユーザによる設定に従って選択する制御部と、前記表示装置ごとに、前記イベント画像の表示を許可する通信端末が登録される制限情報テーブルを記憶する制限情報記憶部と、を備え、前記制御部は、前記制限情報テーブルに基づいて、前記表示装置ごとに、前記制限情報テーブルに登録されていない通信端末の前記イベント画像の表示を制限するものである。
【国際調査報告】
2014112094.tif 000024
2014112094.tif 000025
2014112094.tif 000026
2014112094.tif 000027